(57)【要約】  本発明は、少なくとも１６個の照明ユニット１００を有し、これら照明ユニットが、最も近い隣接照明ユニット１００の間において４〜１６mmの範囲内の、少なくとも１つの方向の中心間距離ｄで格子構造２に配列されている照明システム１を提供するものである。各照明ユニット１００は、光源１１０と、該光源１１０により発生された光１０１のビーム形状を制御するように構成された光学エレメント２０とを有する。また、各照明ユニット１００は少なくとも１００lmの光束を有する光１０１を発生するように構成される。当該照明システムは１つの発光面として複数の格子構造体２を有し、２つの最も近い隣接する格子構造体２の間には、照明ユニット１００を備えない中間領域３００が該隣接する格子構造体２の間の少なくとも１方向での少なくとも３５mmの最短距離ｄ３で設けられる。
2017505523.tif 000002
【特許請求の範囲】
【請求項１】
４〜１６mmの範囲内の、最も近い隣接照明ユニット間の少なくとも１つの方向における中心間距離ｄを持つ格子構造に配列された少なくとも１６個の照明ユニットを有する照明システムであって、各照明ユニットは光源と該光源により発生された光のビーム形状を制御する光学エレメントとを有すると共に、少なくとも５０lm、好ましくは少なくとも１００lmの光束を持つ光を発生し、当該照明システムは複数の格子構造を１つの一体的発光面として有し、２つの最も近い隣接する格子構造の間には、照明ユニットを備えず、且つ、少なくとも３５mmの、最も近い隣接する格子構造間の少なくとも１つの方向における最短距離ｄ３を持つ中間領域が設けられる、照明システム。
【請求項２】
前記最も近い隣接照明ユニット間の距離ｄが、６〜１４mmの範囲内である、請求項１に記載の照明システム。
【請求項３】
前記光源が固体光源を有し、前記光学エレメントが反射器及びレンズの群から選択される、請求項１又は請求項２に記載の照明システム。
【請求項４】
前記各照明ユニットが複数の光源を有し、前記光学エレメントが該複数の光源により発生された光のビーム形状を制御する、請求項１ないし３の何れか一項に記載の照明システム。
【請求項５】
前記格子構造が４〜１６mmの範囲内の１以上のピッチｐを持つ規則的格子構造である、請求項１ないし４の何れか一項に記載の照明システム。
【請求項６】
２つの最も近い隣接する格子構造が少なくとも５０mmの最短距離を有する、請求項１に記載の照明システム。
【請求項７】
前記少なくとも１６個の照明ユニットは照明システム光のビームを発生し、該ビームは開口角内部に光束の少なくとも７５％を伴う４〜１６０°の当該開口角を有する、請求項１ないし６の何れか一項に記載の照明システム。
【請求項８】
請求項１ないし７の何れか一項に記載の照明システムを有するランプであって、該ランプが前記照明システムを照明されるべき表面から少なくとも３.０ｍの距離に位置決めする位置決めエレメントを更に有する、ランプ。
【請求項９】
請求項１ないし７の何れか一項に記載の照明システムを複数有する、ランプ。
【請求項１０】
請求項１ないし７の何れか一項に記載の照明システム又は請求項８若しくは請求項９に記載のランプの使用であって、前記照明システムが屋内フロア及び屋外エリアからなる群から選択される表面上の少なくとも３.０ｍの高さに設けられる、照明システム又はランプの使用。
【請求項１１】
前記照明システムが道路の表面上の少なくとも３.５ｍの高さに設けられる、請求項１０に記載の照明システム又はランプの使用。
【請求項１２】
前記道路は長軸を有し、前記照明システムの前記少なくとも１６個の照明ユニットは４〜１６mmの範囲内の、最も近い隣接照明ユニット間の少なくとも１つの方向における中心間距離ｄを持つ格子構造に配列され、前記少なくとも１つの方向が前記道路の面に平行な面内にあると共に該道路の前記長軸に対して垂直である、請求項１１に記載の照明システム又はランプの使用。
【請求項１３】
前記照明システムが少なくとも１００lm/p2（ｐはmmでのピッチである）の光束を供給する、請求項１０ないし１２の何れか一項に記載の照明システム又はランプの使用。
【請求項１４】
表面を照明すると同時に該表面上の人に対するグレアを最小にするための、請求項１ないし７の何れか一項に記載の照明システム又は請求項８若しくは請求項９に記載のランプの使用。
【発明の詳細な説明】
【技術分野】
【０００１】
本発明は、複数の照明ユニットを有する照明システムに関する。本発明は、更に、このような照明システムを有するランプ（又はランプ照明器具）、及びこのような照明システム又はランプの適用例に関する。
【背景技術】
【０００２】
ランプの不快なグレアの問題は、従来技術において知られている。例えば、米国特許出願公開第2010/0117100号公報は、グレアを感知することを困難にさせる一方、発光ダイオードチップの温度上昇を抑圧すると共にコスト的利点を有する発光モジュールを記載している。該発光モジュールは、１Ｗ/mk以下の熱伝導度を持つ非金属部材により形成された基体を備えている。該基体において、複数のＬＥＤチップは互いに１０〜３０mm離隔されており、これらＬＥＤチップが通常に点灯される場合の該チップの接合温度は好ましくは９０℃以下に設定される。隣接する発光ダイオードの間の領域を覆う半透明封止部材が設けられている。
【０００３】
米国特許出願公開第2013/0107530号公報は、複数の格子構造の複数の照明ユニットを有し、最も近い隣接する（最近傍の）格子構造の間の最短距離が約２０mmである照明システムを開示している。
【発明の概要】
【発明が解決しようとする課題】
【０００４】
本発明は、道路（街路を含む）、（屋外）スポーツエリア、建物正面の照明等のための広範囲の用途のためのＬＥＤ（発光ダイオード）照明器具に特に関するものである（後述参照）。本発明は、投光照明（又は領域照明）、工業照明、プラント現場又は工場（屋内）の照明、高天井小売店の照明等にも関するものである。これら全ての場合においては、高い光学的効率が光の正確な分布と組み合わされねばならない。従って、コリメータ又はレンズを用いる光学系の方が、反射器を用いる系よりも好ましい。拡散又は不透明窓を用いる照明器具は、良好に画定された光分布及び高い効率の両者に欠けると思われるので、これらはそれ以上調査されなかった（後述も参照）。
【０００５】
驚くべきことに、各々が自身のコリメータを備えると共に約２５mmのピッチを持つＬＥＤの長方形格子構造は、効率、輝度及び／又はグレアの点で十分な結果はもたらさないように思われる。これらのシステムにおいて高〜中出力のＬＥＤが使用される場合、輝度が得られ得る一方、他方ではグレアが不満足に思われる。
【０００６】
これらの照明器具の問題点は、例えば道路の使用者（自動車の運転者及び歩行者の両方）が不快なグレアを受けるということである。不快なグレアは既に長い間知られており、“通常の”光源は相当に不快なグレアを生じ得る。これの一例は、バーナが道路使用者の直接視界に入る、照明器具に取り付けられたコンパクトＨＩＤランプである。照明専門家及び経験の少ない観察者の両方が、発光面上に均一な輝度分布を持つ光源からのものよりＬＥＤ格子からの方が一層多くの不快なグレアを受けると報告している。
【０００７】
従って、本発明の一態様は、好ましくは上述した欠点の１以上を更に少なくとも部分的に除去する一方、特にＬＥＤ型等の固体光源型である代替的照明システム及び斯かる照明システムを含む代替的ランプを提供するものである。
【課題を解決するための手段】
【０００８】
不快なグレアの現在のモデルは、複数の要因、即ち（ｉ）光源の全輝度又は観察者の目における結果的輝度；（ii）発光面（ＬＥＳ）の大きさ（面積）及び（iii）視野内のグレア源の位置（偏心）を考慮している。輝度（強度）分布及び偏心は当該照明用途により決定される固定及び所与のデータであるとするので、不快なグレアを減少させる唯一のやり方は光源の寸法を増大させることである。（ＬＥＤ）格子構造体の場合、このことは、ＬＥＤのピッチを増加させる、これに伴う“見掛けの”全発光面の増加、及びこれによる光源の平均輝度の低下を意味する（前述も参照）。このことは、例えばVan Bommel及びDe Boerにより導入され、１９７６年のＣＩＥにより認められたグレアインデックス若しくは（道路照明における不快なグレアのため等の）グレア制御マーク、視覚的快適確率（ＶＣＰ）モデル、統一グレア評価（ＵＧＲ）モデル（特に、屋内照明のための）、又はBulloughにより開発された光源の位置、寸法若しくは輝度を考慮せずに観察者の目に対する照明に基づく屋外照明からの不快なグレアに関する一層最近のモデル等の、全ての既知のグレアモデルにより反映されている。
【０００９】
驚くべきことに、特別な光源構成及び約１６mmより狭いピッチの格子構造を含むフィーチャの組み合わせが、より大きなピッチによるものよりも大幅に少ないグレアをもたらすことが分かった。第１態様において、本発明は、４〜１６mmの範囲内の、最も近い隣接（最近傍）照明ユニット間の少なくとも１つの方向における中心間距離（ｄ）を持つ格子構造に配列された少なくとも１６個の照明ユニットを有する照明システムであって、各照明ユニットが光源と該光源により発生された光のビーム形状を制御するように特別に構成された光学エレメントとを有すると共に、少なくとも５０lm、更に特別には少なくとも１００lmの光束を持つ光を発生するように構成され、当該照明システムが複数の格子構造（格子構造体）を１つの一体的発光面として有し、２つの最も近い隣接する格子構造の間に、照明ユニットを備えず、且つ、少なくとも３５mmの、最も近い隣接する格子構造間の少なくとも１つの方向における最短距離（ｄ３）を持つ中間領域が設けられる照明システムを提供する。
【００１０】
特に、このような照明システムは、大きくて高い屋内領域及び屋外領域を照明するために使用することができる。例えば、表面、特には、アリーナ、競技場、オペラ劇場、映画館等の床若しくは地面の照明、又は道路、歩行者領域、歩道、自転車レーン、広場、高い天井の照明、工業屋内照明、店舗屋内照明、格納庫照明等を考えることができる。また、表面、特には開放場所、滑走路、助走路、建築物敷地の照明を考えることができる。ここで、“道路”なる用語は、特に、車、自動車、トラック、オートバイ等の動力車両の移動のために設計された舗装道路に関するものである。ここで、“滑走路”又は“助走路”なる用語は、特に、飛行機又は航空機の離陸及び／又は着陸のためにデザインされた舗装道路に関するものである。
【００１１】
本システムによれば、（不快なグレア）を有さない又は相対的に低くしか有さない驚くほど良好で強力な照明システムを提供することができる。このことは、前記表面上を移動する車両内の人を含み、斯かる表面上の人にとり勿論重要なものである。このような人は実質的なグレアの問題を有さないで良好な照明を受けることができ、このことは、体験、快適さ及び／又は安全性を向上させることができる。従って、本発明は特に快適な分散型ＬＥＤ照明を提供する。
【００１２】
前記格子構造は、不規則なもの、規則的及び不規則なものの組み合わせとすることができるが、特には規則的なものとする。当該照明システムは複数の格子構造を有し、２つの最も近い隣接する格子構造の間には、照明ユニットを備えず、且つ、少なくとも３５mmの最も近い隣接する格子構造間の少なくとも１つの方向における最短距離（ｄ３）を持つ中間領域が設けられる。これらの個別の格子構造の間の一層短い距離は、再びグレアの増加につながり得る。この場合、方向に関する同じ見方が最も近い隣接格子構造の間の最短距離に対しても当てはまる。しかしながら、とられる距離は最短距離であって、ピッチではないことに注意されたい。従って、少なくとも３５mmの上記距離は、原理的に光源が見付からない距離である。この部分又はこれらの部分は、ここでは、中間領域としても示される。“１つの一体的発光面”なる表現は、当該格子構造が少なくとも３ｍの普通に適用される視距離に対して１つのコヒーレントな発光部分として一緒に観察されることを表そうとするものである。格子構造の間の距離は、“コヒーレンス効果”の喪失の危険性の望ましくない増加により、好ましくは過度に大きく、例えば８５mm又は１００mmより大きくなるべきではない。
【００１３】
前述したように、各照明ユニットは、特に、少なくとも５０ルーメン（lm）の、特には少なくとも１００lm等の光束を有する。更に一層特別には、各照明ユニットは少なくとも１５０ルーメン等の、少なくとも１２５ルーメンの光束を特に有する。原理的に当該照明システムは、少なくとも１５０ルーメン（平均光束）等の、少なくとも５０ルーメン、更に特別には少なくとも１００ルーメン、更に一層特別には少なくとも１２５ルーメンの平均光束を有する照明ユニットを含むこともでき、これにより、或るものは５０ルーメンより低い、又は１００ルーメン等に、他のものは、それ以上にすることができる。しかしながら、最小光束からのズレは特に２０％未満にする。少なくとも５０ルーメン、更に特別には少なくとも１００ルーメン（及び同様の語句）という最小レベルは、最大能力における照明ユニットに関するものである。この能力が約１００ルーメンより低い、特には５０ルーメンより低い場合、当該照明システムにより供給される輝度は低過ぎ得る。更に、ここで示されるような格子構造の定義の利点が完全には利用されなくなり得る。特には、最小レベルは約１５０ルーメンである。更に、当該照明システムが少なくとも１００lm/p2（ｐはmmでのピッチ）の光束を供給するように構成される場合に、良好な結果が得られ得る。
【００１４】
当該照明システムは、少なくとも３２個の照明ユニット又は少なくとも６４個の照明ユニットのような１６〜２５６個の照明ユニット等の、少なくとも１６個の照明ユニットを有することができるが、２５６個より更に一層多くの照明ユニットも可能である。驚くべきことに、４〜１６mm、特には４〜１４mm、更に特別には６〜１４mmの範囲内の距離（特には、ピッチ）がグレアに関して最良の結果をもたらすことが分かった。シミュレーション及び測定によれば、２５mmより上ではグレアの相当の増加が存在し、更に約１４mmより下ではグレアの大幅な（更なる）減少が存在する。従って、特に１４mm以下でグレアは最小限になり得る。かくして、一実施態様では最も近い隣接照明ユニットの間の距離（ｄ）は６〜１４mmの範囲内である。
【００１５】
本明細書において、“最も近い隣接照明ユニット間の少なくとも１つの方向における中心間距離ｄを持つ”なる語句が適用される。規則的な構成を仮定すると、六角形構成に当てはまるように、２つの（オプションとして、直行する）方向において値が相違するピッチが存在し得る。しかしながら、立方体構成では、直角方向におけるピッチは同一である。更に、後述するように、特定の応用例の場合、或る方向における距離又はピッチは、他の方向におけるよりも一層関連性があり得る。かくして、本発明は、特に、４〜１６mmの範囲内の最も近い隣接照明ユニット間の（少なくとも１つの方向における）ピッチを持つ格子構造に配列された少なくとも１６個の照明ユニットを有する照明システムであって、各照明ユニットが光源と該光源により発生された光のビーム形状を制御するように特別に構成された光学エレメントとを有すると共に、少なくとも１００lm等の少なくとも５０lmの光束を持つ前記光を発生するように構成される照明システムを提供する。従って、一実施態様において上記格子構造は４〜１６mmの範囲内の１以上のピッチ（ｐ）を持つ規則的格子構造である。
【００１６】
原理的に、上記少なくとも１６個の照明ユニットの配置構成は不規則なもの、又は規則的格子分布と、その内部に不規則に配置された他の照明ユニットとの組み合わせとすることもできる。このような構成においては、“ピッチ”なる用語の代わりに“距離”なる用語を用いることができる。少なくとも１つの方向において、照明ユニットの配置は上述した距離条件を満たさなければならない。不規則なシステム、又は規則的格子分布と、その内部に不規則に配置された他の照明ユニットとの組み合わせにおいては、特定の実施態様において、最も近い隣接照明ユニットの間の平均中心間距離（ｄ）は前述した範囲内でなければならない。規則的格子構造の場合、或る方向における平均中心間距離（ｄ）はピッチ（該方向における）と同一であろう。
【００１７】
“最も近い隣接する（最近傍の）”なる用語は従来技術において知られている。更に、照明ユニット間の距離の定義のために、中心間距離が適用される。一般的に、或る方向における隣接する照明ユニットの間の最短距離は、該方向における中心間距離の４０〜８０％等の０〜９０％の程度である。最近傍照明ユニット間の中心間距離（ｄ）に関する前記条件は、全ての光源の少なくとも８８％に対して、特には全光源の少なくとも９４％に特に当てはまらなければならない。
【００１８】
前述したように、各照明ユニットは光源と、該光源により発生される光のビーム形状を制御するように（特別に）構成された光学エレメントとを有している。上記光源は、如何なる光源とすることもでき、特には固体ＬＥＤ光源（ＬＥＤ又はレーザダイオード等の）を有することができる。“光源”なる用語は、２〜２０個の（固体）ＬＥＤ光源等の複数の光源に関するものでもあり得る。従って、ＬＥＤなる用語は複数のＬＥＤを指すこともできる。当該照明ユニットにおいて、該照明ユニットにより発生される光のビーム形状を制御するように特別に構成される上記光学エレメントは、１以上の光源のビーム形状を制御する。従って、該光学エレメントが反射器を有する場合、上記１以上の光源は該反射器内に（少なくとも部分的に）配置される。該光学エレメントがレンズを有する場合、全ての１以上の光源の光は該レンズを（少なくとも部分的に）通過する。該光学エレメントは、反射器、レンズ、及び反射器とレンズとの組み合わせの１以上を有することができる。特に、この場合、該光学エレメントは（各々）拡散反射性でも、半透明でもない。
【００１９】
特定の実施態様において、前記光源は固体光源を有し、前記光学エレメントは反射器及びレンズの群から選択される。従って、特定の実施態様において、各照明ユニットは複数の光源を有する一方、前記光学エレメントは該複数の光源により発生される光のビーム形状を制御するように構成され、各照明ユニットは少なくとも５０lm、特には少なくとも１００lmの光束を持つ前記光を発生するように構成される。
【００２０】
“各照明ユニットは光源と、該光源により発生された光のビーム形状を制御するように特別に構成された光源エレメントとを有する”なる語句は、全照明ユニットのうちの少なくとも８８％、更に特別には少なくとも９４％が、斯様な構成の光源、及び斯かる光源により発生される光のビーム形状を制御するように特別に構成された上記光源エレメントを有することを特に示す。
【００２１】
特に、上記光源（又は複数の光源）は白色光を発生するように構成することができる。実施態様において、“光源”なる用語は、このように、複数の光源を指すことができることに注意されたい。本明細書における白色光なる用語は、当業者により知られている。白色光は、約２０００〜２００００Ｋ、特には２７００〜２００００Ｋの間、一般照明のためには特に約２７００Ｋ〜６５００Ｋの範囲内、背面照明（バックライティング）のためには約７０００Ｋ〜２００００Ｋの範囲内であって、ＢＢＬから約１５ＳＤＣＭ（等色標準偏差：standard deviation of color matching）内、特にはＢＢＬから約１０ＳＤＣＭ内、更に特別にはＢＢＬから約５ＳＤＣＭ内の相関色温度（ＣＣＴ）を持つ光に関するものである。
【００２２】
しかしながら、上記光源は有色光を発生するように構成することもできる。ここでも、“光源”なる用語は複数の光源を指すことができる。一般的に、各光源はＣＩＥ色度図のｘ及び／又はｙ座標の１０％以内の差のように、実質的に同一のタイプの光を供給するように構成される。しかしながら、当該光源は実施態様においてカラーを調整可能にすることができる。オプションとして、前記複数の光源は、カラー及び輝度の１以上を（特には、少なくとも輝度を）個別に調整することができる1以上の部分集合の光源を含む。
【００２３】
上記においては、照明システムを少なくとも１６個の照明ユニットの格子構造に関して説明した。特定の実施態様において、本発明は複数の格子構造を有する照明システムであって、２つの最も近い隣接する格子構造の間には、照明ユニットを備えず、且つ、少なくとも５０mmの、最も近い隣接する格子構造間の少なくとも１つの方向における最短距離（ｄ３）を持つ中間領域が設けられる。ここでも、最近傍格子構造間の上記最短距離に対して、方向に関する同一の見方が当てはまる。しかしながら、とられる距離は最短距離であって、ピッチではないことに注意されたい。従って、上記少なくとも５０mmの距離は、原理的に光源が見付からない距離である。この部分、又はこれらの部分も、ここでは、中間領域として示される。
【００２４】
前記光学エレメントは、当該照明システムから出射する光のランバート分布をもたらすように特別に構成することができる。特に、ビームは１６０°より小さい、特には１４５°より小さい開口角で供給される。このような開口角内では、当該光束の少なくとも７５％等の相当の部分が見付けられ得る。スポーツ用照明の場合、開口角は、この角度内に輝度の特に少なくとも７５％があるとして、特に５〜２０°等の４〜６０°とすることができる。街路照明の場合、開口角は、この角度内に輝度の特に少なくとも７５％があるとして、特に１４５〜１６０°の範囲内とすることができる。工業用照明の場合、開口角は、この角度内に輝度の特に少なくとも７５％があるとして、特に３０〜１６０°の範囲内とすることができる。従って、ビームは特に４〜１６０°の範囲内の開口角で供給される（この角度内に輝度の特に少なくとも７５％があるとする）。
【００２５】
特定の実施態様において、前記少なくとも１６個の照明ユニットは照明システム光のビームを発生するように構成され、該ビームは、特にスポーツ用照明又はアリーナ用照明等の特定の用途に対して、開口角（θ）内部に当該光束の少なくとも７５％を伴う４〜１６０°の当該開口角（θ）を有する。
【００２６】
２以上の（空間的に分離された）格子構造が利用可能な場合（前記参照）、結果的ビームは平行に向けられ得るが、異なる方向に向けることもできる。このことは、所望の用途に依存し得る。更に、１つの格子構造の場合も、前記光学エレメント（即ち、レンズ及び／又はコリメータ）の構成に依存して、２以上のビームを発生することができる。しかしながら、各ビームは、特に、５〜１６０°の範囲内の開口角（θ）を有する（該開口角内に当該光束の少なくとも７５％を伴う）。
【００２７】
当該照明システムは、原理的に、何処にでも及び如何なる位置にも配置することができる。該照明システムは、立っている構造体、吊り構造体又は床若しくは地面上の構造体の一部とすることができ、又は床若しくは地面等に部分的に組み込むことができる（壁面照明用等）。他の態様において、本発明は本明細書で説明される照明システムを有するランプを提供し、該ランプは前記照明システムを照明されるべき表面から少なくとも３.０ｍの距離に、特には表面上の少なくとも３.５ｍの高さに位置決めする（該照明システムの使用の間に）ように構成された位置決めエレメントを更に有する。特に、この距離は４ｍ、４.５ｍ又はそれ以上とすることができる。これは、例えば、スタンド、電柱（照明システム用の）、塔（照明システム用の）等であり得る。オプションとして、上記位置決めエレメントは前記照明ユニットの吊り構造のためのエレメントを含むこともできる。
【００２８】
“照明システム”なる用語は、例えば一般的に競技場照明に当てはまるように、複数の照明システムを指すこともできることに注意されたい。更に、複数の照明システムが適用される場合、このような構成においても、２つの最も近い隣接する格子構造の間には、照明ユニットを備えず、且つ、少なくとも３５mmの最も近い隣接する格子構造間の少なくとも１つの方向における最短距離（ｄ３）を持つ中間領域が特に設けられることに注意されたい。当業者にとり明らかなように、本発明は、ここで定義されるような複数の照明システムを有する（このような）ランプも提供する。
【００２９】
更に他の態様において、本発明は、ここに定義される照明システムの、又はここに定義されるランプの応用（アプリケーション）も提供し、その場合、当該照明システムは屋内フロア及び屋外エリアからなる群から選択される表面上の少なくとも３.０ｍの高さに設けられる。例えば、このようなアプリケーションにおいて、当該照明システムは道路の表面上の少なくとも３.５ｍの高さに設けられ得る。一般的に、斯かるアプリケーションの殆どに対して該高さは、少なくとも４.５ｍ、５０ｍまで、又はそれ以上高い等のように一層大きい。“アプリケーション”なる用語は、当該照明システムと、該照明システムにより照明されるべき、例えば屋内フロア又は屋外エリア等の表面との組み合わせを特に指す。
【００３０】
特定の実施態様において、上記アプリケーションは、従って、道路を含み、該道路は長軸を有し、前記照明システムの前記少なくとも１６個の照明ユニットは４〜１６mmの範囲内の最も近い隣接照明ユニット間の少なくとも１つの方向における中心間距離（ｄ）を持つ格子構造に配列され、前記少なくとも１つの方向が前記道路の面に平行な面内にあると共に該道路の前記長軸に対して垂直である。このような実施態様において、人は上記長軸対して実質的に平行な方向に移動する傾向があるので、該長軸に平行な方向におけるピッチは、該長軸に対して垂直な方向におけるより余り関連性がない。このように、交差点における照明は異なって構成することができ、実質的に全ての中心間最短距離（特に、当てはまる場合は全てのピッチ）は、ここに示された前記最適距離に従う。
【００３１】
他の特定の実施態様において、当該照明システムは照明システム光のビームを発生するように構成され、該ビームは開口角（θ）内部に当該光束の少なくとも７５％を伴う４〜１６０°の範囲内の当該開口角（θ）を有し、前記ランプは上記ビームを地表面に対する垂直線に対して０〜９０°の、特には地表面に対する垂直線に対して０〜８０°の、更に特別には地表面に対する垂直線に対して０〜６０°の角度内で供給するように特別に構成される。オプションとして、先に既に示したように、該ランプは、異なる方向に向けられた２つの（又は、オプションとして、それ以上の）斯様なビームを供給するように構成することができるが、例えば、両ビームは道路に垂直で、且つ、該道路の長軸に平行な面内に光軸を持つようにする。他の実施態様において、上記ビームは、中央が低輝度な円形又は楕円形ビームとすることができる。従って、該ビームは（長円の）リング状の形状を有し、該リングが例えば円形又は楕円形の形状を有するものとすることができる。
【００３２】
従って、本発明は、本明細書に記載した照明ユニット又は本明細書に記載したランプの、表面上の人に対するグレアを最小にしながら該表面を照明するための使用を可能にする。このことは、上記のような表面上に立ち又は該表面上を歩行する人のみならず、自転車、オートバイ、自動車、トラック、バス等の輸送車両上又は内の人にも当てはまり得る。
【００３３】
人の視覚は、輝度の局部的な高い勾配が希である自然環境内で進化した。しかしながら、我々は輝度の殆ど５桁の大きさを超える輝度コントラストを見ることができなければならない。これを達成するために、我々の目における神経系は特別な方法で編成されている。錐体は、局部的照度に依存して、視覚系に信号を供給する。錐体毎に、又は隣接する錐体の小グループ毎に、自身の信号は周囲の錐体に対する照度に依存して増幅される。網膜は、多くのタイプのニューロン（神経細胞）を含んでいる。これらのタイプのうちの１つである、所謂、“オン中心”Ｍ神経節細胞が、このメカニズムの責任を負っている。これらの神経節細胞の各々は、１つの又は小グループの錐体（中心）の及び該中心を囲む錐体のリング（周囲）の信号を収集する。上記周囲に殆ど光が入射しない場合、これは、全体の光レベルは低く、中心により発生される信号は増幅されねばならないという当該神経節細胞に対する合図である。周囲が強く照明されている場合、これは、中心の信号が“低下（dimmed）”されねばならないことを意味する。このメカニズムは、中心〜周囲の系にわたる照度が過度に多く変化しない限りにおいて良好に動作する。また、上記照度変化の空間周波数が中心〜周囲の系の大きさに対して高い場合、このことは、上記周囲に対する均一な照明として体験される。しかしながら、網膜における照度が、中心を非常に明るくさせる一方、周囲を相対的に“暗く”させるような勾配を示す場合、このシステムは問題を生じる。即ち、周囲における低い照度は、低い全体的照度レベルを知らせると共に、神経節細胞に中心の信号を増幅させるような制御を生じさせる。しかしながら、この信号は、高い局部的照度により既に高かったものである。この非常に高い信号比率は、視覚野を非常に活性になるようにさせるが、実際の意味のある“視覚的内容”は伴わない。殆どの人において、このことは不快な感覚を生じさせ、しばらくすると疲労を生じさせる。もっと敏感な人においては、この効果は、片頭痛又はてんかん発作させ生じさせ得る。
【００３４】
特定の距離から、ＬＥＤ間に相対的に大きなピッチを持つ格子構造の光点を見た場合、受容野は大凡ランダムに照明される。ピッチが減少されると、特定のピッチにおいて、網膜上の個々のＬＥＤ像間の視角は、受容野中心の視角に一致する。ＬＥＤ像の大きさが、受容野中心と同程度の大きさのものであるが、受容野周囲のよりも大幅に小さい場合、このことは、上述した不快な効果を生じさせる。光点のピッチの更なる低減は、受容野の中心及び周囲が益々均一に照らされるようにさせ、上記不快さを低減させる。従って、最も高い不快さを生じさせるような視角の“中間”範囲が存在するであろう。心理学では、網膜上の照明パターンの間隔を記述するために、視角の代わりに、通常、空間周波数（１／視角）が用いられる。
【００３５】
複数の構成が、異なるピッチ、光学系（又は非光学系）、輝度等を用いて試験された。我々の実験は、最も高い不快さは、４〜７サイクル／度の間での最大値を伴って、３〜８サイクル／度の間の空間周波数で体験されることを示した。道路照明の実務において、電柱の大部分は４メートル又はそれ以上に高い。時折、特に都市部／商店街における古い照明設備においては３.５メートル高の電柱が依然として見られる。関連する照明設備が見付けられる暗い場所では、観察者の凝視先は不注意に、気付かずに高い照度の点に向かって引き寄せられる。我々の体験によれば、この効果は、水平から４５度より小さな視角に限定される。典型的な道路又は街路照明器具の光分布においては、最大輝度、従って最も高い不快さの体験は、水平より低い約２０度の角度において見付かる。
【００３６】
本明細書において、前記光学エレメントは、特には、所望の光分布を達成するために使用されるコリメータ若しくはレンズ、又はこれらの２つ以上の組み合わせ（例えば、一次及び二次光学系）である。特に、本発明は隣接する発光ダイオードチップの間の領域を被覆する半透明封止部材は適用しない。従って、ここで定義される光学エレメントの下流には、特に半透明封止部材又は他の半透明窓は存在しない。“上流”及び“下流”なる用語は、光発生手段（ここでは、特に第１光源）からの光の伝搬に対する物品又はフィーチャの配置に関するもので、上記光発生手段からの光ビーム内の第１位置に対して、該ビームにおける上記光発生手段に一層近い第２位置は“上流”であり、該光ビーム内の上記光発生手段から一層遠い第３位置は“下流”である。
【００３７】
更に、“光点”なる用語を用いることができる。光点は、１個又は数個のＬＥＤパッケージを覆う又は部分的に包囲する光学エレメントの発光面である。１つの光学エレメントの下／内部に幾つかのダイが取り付けられたシステムにおいて、これらのダイは特定の距離における（少なくとも数メートルにおける）観察者によっては認識することができず、当該格子構造における個々の点の発光面は光点として見られ／見なされるであろう。前述したように、前記ピッチは２つの隣接する光点の間の中心間距離である。“光点”なる用語は、このように、前記照明ユニットを指し得る。
【００３８】
更に、道路へのアプリケーションにおける横断方向は、当該道路（通常、道路照明器具の長軸に対して平行である）；長手方向：即ち該道路の軸に平行な軸、を見下ろして見た場合の横（左から右、水平）方向又は軸である。現在市場にある分散型光点を持つ殆どの道路照明器具において、ＬＥＤは２５mmのピッチを持つ正方形格子構造で取り付けられている。従って、道路に沿って進行し且つ見る道路使用者（運転者又は歩行者）は、２５mmの横方向ピッチを見るであろう。当該道路ユーザが当該照明器具を或る距離から見る角度により、横方向の行の間の長手方向ピッチは、より小さく見える。例えば典型的な電柱上の市街照明器具又は建築物用投光器等のように、典型的な視方向が存在しない場合、照明器具における横方向及び長手方向の間の区別は関係がない。我々の中心的洞察に基づいて構築され、我々の実験により評価されたモデルは、ピッチの減少により、不快さが低減されることを予測している。
【００３９】
特に、照明器具又は照明システムの光点は、１５mm等の約１６mmより小さな、好ましくは１２mmより更に小さなピッチで配置される。現在の共通の理解によれば、等しい合計光束でピッチを減少させることは、発光面を減少させ、このことは、等しい合計光束ではグレアを増加させるというものである。我々の新たな洞察に基づく研究によれば、上記ピッチの低減は、不快なグレアの知覚を増加させる代わりに、大幅に減少させる。
【００４０】
十分に高い輝度の光源に対する一時的暴露は、残像の形成の原因となり、これは障害を生じさせると同時に不快でもある。グレア源を一瞥した後、網膜には該グレア源と大凡同サイズの残像が形成される。グレア源を見渡すことは、網膜上の該グレア源の軌跡を辿る線状の残像を生成する。明らかなことに、一層大きなグレア源は、一層大きな残像を生じさせる。
【００４１】
対照として、かなりの不快なグレアを生じる１６０klm.m-2の光束発散度に相当する、１００lmのＬＥＤ当たりの光束を有すると共に２５mmのピッチを持つＬＥＤ格子構造を考察しよう。我々の研究は、ＬＥＤの間のピッチを減少させることにより、不快なグレアを減少させることができることを暗示している。ここでは、これを２つのやり方で達成することができる。即ち、当該システムの合計光束を同等に維持して、同一の発光面に配置されるＬＥＤの数を増加させることができる。光源の輝度は減少されるので、不快なグレアの低下は、既存のモデル及び理解と合致するものである。事実、当該光源を注視する人による不快なグレアの知覚は、ピッチに伴い線形に減少する。他の例として、合計光束及びＬＥＤの数を同等に維持して、ピッチだけを減少させ、従って発光面の寸法を減少させることもできる。この場合、ピッチを半分にすることは、発光面を四なる倍数で減少させ、光束発散度を同じ倍数で増加させる。現在信じられていることとは逆に、この場合、不快なグレアも大幅に減少される。
【００４２】
前述したように、発光面の大きさは残像の大きさを決定する。観察者が光源を注視せずに、該光源にわたって見渡すと、残像に起因する不快さは一層大きくなる。従って、実際の条件においては、一層小さな光源の不快なグレアの知覚は、ここに示される静止試験におけるよりも一層低くなる。従って、両効果の組み合わせにより、後者のオプションの方が、より高い不快なグレアの代わりに、大幅に低いグレアとなる。
【００４３】
初期試験は、対照のマトリクスの不快グレア知覚度（ｄｇｐ）を、少なくとも５００klm.m-2の光束発散度（Ｍ）及び最大１４mmのピッチを持つマトリクスと比較すると、ｄｇｐは少なくとも１６％低くなることを示している。Ｍ≧６４０klm.m-2で以って、１２.５mm以下へのピッチの減少は、ｄｇｐを少なくとも２０％減少させる。最大１０mmのピッチ及びＭ≧１Ｍlm.m-2は、ｄｇｐを２８％以上減少させる。８mm以下へのピッチの減少及びＭ≧１.５Ｍlm.m-2は、ｄｇｐを少なくとも３５％減少させる。
【００４４】
我々の観察から、高出力ＬＥＤの格子構造を考えた場合、不快なグレアは、当該ＬＥＤの光束を同一に保ったまま、ＬＥＤ間のピッチを減少させ、これにより、これに応じて光束発散度を同時に増加させることにより不快グレアを低減することができると結論することができる。このことは、発光面が一層小さくなることを可能にするので、製品設計及びコストにおいて付加的な利点を有し得る。しかしながら、光学系の最小の可能な寸法及び熱管理により、８mmのピッチ付近に下限が存在する。ＬＥＤダイの予測される光束及び電流密度の増加により、近い将来、この限界は６mmまで移動し得る。
【００４５】
とりわけ、ここでは、当該システムの近傍の人により直接見える、少なくとも１６個の個別の識別可能な光点から構成される照明システムであって、各光点が１以上の高出力ＬＥＤを覆う平行化光学エレメント（レンズ又はコリメータ）からなり、更に特別には、（ｉ）ＬＥＤ当たり０.５Ｗの公称電力消費；（ii）単一の光点により放出される光束が少なくとも５０lm、更に特別には少なくとも１００lmである；（iii）当該照明システムの全光束が少なくとも１６００／２０００lmである；（iv）少なくとも０.５好ましくは０.６４／１／１.５Ｍlm.m-2の光源の平均光束発散度及び最大１４、好ましくは１２.５、１２又は１０mmであるが、８、好ましくは６mmより大きな隣接光点間のピッチを備える；（ｖ）最大１４、好ましくは１２.５、１２又は１０mmであるが、８、好ましくは６mmより大きな隣接光点間のピッチ；（vi）少なくとも１００／ｐ２（ｐはmmでのピッチである）の光束発散度；（vii）当該照明システムに垂直な軸に対して６０〜９０度の角度における光度（luminous intensity）の最大値；（viii）光点が正方形格子構造に配置される場合、光点が、隣接する行（又は列）がピッチの寸法の半分だけずらされた正方形格子構造（所謂、チェッカーボードパターン）に配置された場合、又は光点が準ランダムに配置される場合であって、単一のＬＥＤと他の全てのＬＥＤとの間の距離が６〜１４／１２／８の間であるか、又は５０／６０／７５mmより大きい（クラスタ間に一層大きな距離を持つ小さなピッチのＬＥＤのクラスタ）なるフィーチャのうちの少なくとも１つを有する照明システムを提案する。
【００４６】
“実質的に全ての光”における、又は“実質的になる”における等の、本明細書における“実質的に”なる用語は、当業者により理解されるであろう。また、“実質的に”なる用語は、“全体的に”、“完全に”、“全て”等による実施態様も含むことができる。従って、実施態様においては、実質的になる形容詞句を除去することもできる。当てはまる場合、“実質的に”なる用語は、１００％を含み、９５％又はそれ以上、特には９９％又はそれ以上、更に特別には９９.５％又はそれ以上等の、９０％又はそれ以上にも関係し得る。“有する”なる用語は、“有する”なる用語が“からなる”を意味するような実施態様も含む。“及び／又は”なる用語は、“及び／又は”の前後に言及される項目の１以上に特に関係する。例えば、“項目１及び／又は項目２”なる語句及び同様の語句は、項目１及び項目２の１以上に関係し得る。“有する”なる用語は、一実施態様では“からなる”を示すことができるが、他の実施態様では、“少なくとも指定されたものを含むと共に、オプションとして１以上の他のものを含む”を示すこともできる。
【００４７】
更に、詳細な説明及び請求項における第１、第２及び第３等の用語は同様の要素の間を区別するために使用されるものであり、必ずしも連続した又は時間的順序を説明するためのものではない。斯様に使用された用語は適切な状況下では入れ替え可能であり、ここに説明される本発明の実施態様は、ここに記載又は図示されたもの以外の順序で動作することができると理解されるべきである。
【００４８】
本明細書における装置、システム、ユニット等は、とりわけ、動作中で説明されている。当業者にとり明らかなように、本発明は動作中の装置又は動作方法に限定されるものではない。
【００４９】
上述した実施態様は本発明を限定するというよりは解説するものであり、当業者であれば添付請求項の範囲から逸脱することなしに多数の代替実施態様を設計することができることに注意すべきである。尚、請求項において、括弧内の如何なる符号も当該請求項を限定するものと見なしてはならない。また、“有する”なる動詞及びその活用形の使用は、請求項に記載されたもの以外の構成要素又はステップの存在を排除するものではない。また、単数形の構成要素は複数の斯様な構成要素の存在を排除するものではない。本発明は、幾つかの個別のエレメントを有するハードウェアにより、及び適切にプログラムされたコンピュータにより実施化することができる。また、幾つかの手段を列挙する装置の請求項において、これら手段の幾つかは１つの同一のハードウェアにより具現化することができる。また、特定の手段が相互に異なる従属請求項に記載されているという単なる事実は、これら手段の組み合わせを有利に使用することができないということを示すものではない。
【００５０】
本発明は、更に、前記詳細な説明に記載され、及び／又は添付図面に示された特徴的フィーチャの１以上を有する装置に当てはまるものである。本発明は、更に、前記詳細な説明に記載され、及び／又は添付図面に示された特徴的フィーチャの１以上を有する方法又は製造方法に関するものである。
【００５１】
本特許出願において説明される種々の態様は、更なる利点を提供するために組み合わせることができる。更に、フィーチャの幾つかは、１以上の分割出願のための基礎を形成することができるものである。
【００５２】
尚、図面は必ずしも実寸通りではない。
【図面の簡単な説明】
【００５３】
【図１Ａ】図１Ａは、本発明の一実施態様を概略的に示す。
【図１Ｂ】図１Ｂは、本発明の他の実施態様を概略的に示す。
【図２Ａ】図２Ａは、本発明の他の実施態様を概略的に示す。
【図２Ｂ】図２Ｂは、本発明の他の実施態様を概略的に示す。
【図２Ｃ】図２Ｃは、本発明の他の実施態様を概略的に示す。
【図２Ｄ】図２Ｄは、本発明の他の実施態様を概略的に示す。
【図３】図３は、lm/m2での或る平均光束発散度（ＡＬＥ）をmmでのピッチ（ｐ）の関数として示し、６〜１４mmのピッチの間の点線領域が特に望ましい。
【発明を実施するための形態】
【００５４】
以下、本発明の実施態様を例示のみとして添付概略図面を参照して説明するが、これら図面において対応する符号は対応する部分を示している。
【００５５】
図１Ａは照明システム１を有するランプ１０００の一実施態様を概略的に示し、該実施態様においてランプ１０００は照明されるべき表面７から例えば少なくとも３.５ｍの距離（ここでは、高さ）に当該照明システム１を位置決めするように構成された位置決めエレメント１１００を更に有している。表面７は、この実施態様では、道路１７である。該照明システム１は照明ユニット１００の規則的な格子構造２を有しているので、中心間距離ｄはピッチｐと同一である。原理的に、２つの（又はそれ以上の）中心間距離ｄが、従ってピッチｐが存在し得る。これが、ｄ１，ｄ２及びｐ１，ｐ２により各々示されている。正立方体構成においては、ｄ１＝ｄ２＝ｐ１＝ｐ２＝ｄ＝ｐである。照明ユニット１００により発生された光は、一緒に、照明システム光１１１を供給する。この光は、表面７を照明するために使用することができる。
【００５６】
図１Ｂは、ランプ１０００の他の実施態様を、ここでは側面図で概略的に示す。この場合、該ランプは各々が格子構造体２を備えた（少なくとも）２つの照明システム１を有している。該２つの照明システムは、オプションとして異なる方向の、２以上のビームを供給するように構成することができる。ここで、これら照明システム１のうちの１つは、各々が開口角θを有する照明システム光の２つのビーム１１１を発生する。θの値は、これらビームに関して相違してもよい。特に、上記開口角θは４〜１６０°の範囲内であり、当該光束の少なくとも７５％は該開口角θ内とする。この概略図においては、θは２５°の範囲内のように、大幅に小さい。
【００５７】
従って、１以上の区別可能なビームが存在するか否かによらず、該角度θ内で特に当該光束の少なくとも７５％を見付けることができる。
【００５８】
更に、ランプ１０００は、前記道路１７の垂直線（Ｖ）に対して例えば０〜９０°の角度α内で前記ビーム１１１を供給するように構成することができる。ここでも、該角度α内の光束の少なくとも７５％を見付けることができる。一実施態様において、当該ビームは、相対的に暗い中央部分を伴う円又は楕円として構成することができる（即ち、表面７上においては、円又は楕円の光を知覚することができる）。従って、図１Ｂは楕円形（oval）又は円形のビームを供給する照明ユニット１を概略的に図示することもできる（側面図で）。ここで、例示として、αは３０〜６０°の範囲内である。
【００５９】
図２Ａは、最も近い隣接照明ユニットの間の少なくとも１つの方向の中心間距離ｄで以って格子構造２に配列された照明ユニット１００を有する照明システム１の一実施態様を更に詳細に図示するもので、各照明ユニット１００は光源１１０と、該光源１１０により発生された光１０１のビーム形状を制御するように構成された光学エレメント２０（ここでは、少なくともコリメータ）とを有する。特に、各照明ユニット１００は例えば少なくとも１００lmの光束を持つ光１０１を発生するように構成することができる。
【００６０】
図２Ｂは、照明ユニット１００の限定するものでない数の実施態様を非常に概念的に示すもので、各々、１個（Ｉ／ＩＩ）又はそれ以上（ＩＩＩ／ＩＶ）の光源１１０を備えると共に、コリメータ（Ｉ／ＩＩＩ）又はレンズ（ＩＩ／ＩＶ）を備える。異なる光学エレメントの組み合わせを適用することもできる。特に、照明ユニット１００内に２以上の光源１１０が適用される場合、これら全ての光源の光１０１は当該光学エレメントによりビームに整形される。従って、照明ユニット１００内の全光源１１０の光のビームが整形される少なくとも１つの光学エレメントが存在する。即ち、これら光源は個々のコリメータ又はレンズを有する必要はない。しかしながら、オプションとして、このことも当てはまり得る。
【００６１】
図２Ｃ及び図２Ｄは格子構造２の幾つかの実施態様を概略的に図示し、図２Ｃには例示として３つの異なる格子構造を有する照明システム１を示している。左側のもの（２’）は立方体構成の照明ユニット１００を有し；中央のもの（２”）は２つの異なる直交する中心間距離又はピッチを持つ格子構造２を有し；右側のもの（２’’’）は中心間距離又はピッチｄ１，ｄ２及びｐ１，ｐ２の六角形配置構造を有している。格子構造間の距離は符号ｄ３（これは、特に中心間距離ではなく、２つの異なる格子構造２の照明ユニット１００間の最短距離である）により示されている。格子構造２の間には、照明ユニットのない（又は、オプションとして格子構造体の照明ユニットの２５％より低い輝度を持つ照明ユニットを備えた）中間領域３００が存在する。２つの最も近い隣接格子構造２の間において、照明ユニット１００を備えない中間領域３００は、少なくとも１つの方向において、少なくとも３５mmの最も近い隣接格子構造２間の最短距離ｄ３で以って構成することができる。図２Ｄは格子構造２の幾つかの実施態様を更に詳細に示し、ここで、Ｉは１つの中心間距離又はピッチｐを持つ立方体格子構造（即ち、ｄ１＝ｄ２＝ｐ１＝ｐ２＝ｄ＝ｐ）を示し；ＩＩは六角形配置構造を示し；ＩＩＩは直交するピッチを持つ格子構造を示し；ＩＶは中心間距離ｄを持つ不規則な格子構造を示す。
【図１Ａ】
2017505523.tif 000003
【図１Ｂ】
2017505523.tif 000004
【図２Ａ】
2017505523.tif 000005
【図２Ｂ】
2017505523.tif 000006
【図２Ｃ】
2017505523.tif 000007
【図２Ｄ】
2017505523.tif 000008
【図３】
2017505523.tif 000009
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
４〜１６mmの範囲内の、最も近い隣接照明ユニット間の少なくとも１つの方向における中心間距離ｄを持つ格子構造に配列された少なくとも１６個の照明ユニットを有する照明システムであって、各照明ユニットは光源と該光源により発生された光のビーム形状を制御する光学エレメントとを有すると共に、少なくとも５０lmの光束を持つ光を発生し、当該照明システムは複数の格子構造を１つの一体的発光面として有し、２つの最も近い隣接する格子構造の間には、照明ユニットを備えず、且つ、少なくとも３５mmの、最も近い隣接する格子構造間の少なくとも１つの方向における最短距離ｄ３を持つ中間領域が設けられる、照明システム。
【請求項２】
前記最も近い隣接照明ユニット間の距離ｄが、６〜１４mmの範囲内である、請求項１に記載の照明システム。
【請求項３】
前記光源が固体光源を有し、前記光学エレメントが反射器及びレンズの群から選択される、請求項１又は請求項２に記載の照明システム。
【請求項４】
前記各照明ユニットが複数の光源を有し、前記光学エレメントが該複数の光源により発生された光のビーム形状を制御する、請求項１ないし３の何れか一項に記載の照明システム。
【請求項５】
前記格子構造が４〜１６mmの範囲内の１以上のピッチｐを持つ規則的格子構造である、請求項１ないし４の何れか一項に記載の照明システム。
【請求項６】
２つの最も近い隣接する格子構造が少なくとも５０mmの最短距離を有する、請求項１に記載の照明システム。
【請求項７】
前記少なくとも１６個の照明ユニットは照明システム光のビームを発生し、該ビームは開口角内部に光束の少なくとも７５％を伴う４〜１６０°の当該開口角を有する、請求項１ないし６の何れか一項に記載の照明システム。
【請求項８】
請求項１ないし７の何れか一項に記載の照明システムを有するランプであって、該ランプが前記照明システムを照明されるべき表面から少なくとも３.０ｍの距離に位置決めする位置決めエレメントを更に有する、ランプ。
【請求項９】
請求項１ないし７の何れか一項に記載の照明システムを複数有する、ランプ。
【請求項１０】
請求項１ないし７の何れか一項に記載の照明システム又は請求項８若しくは請求項９に記載のランプの使用であって、前記照明システムが屋内フロア及び屋外エリアからなる群から選択される表面上の少なくとも３.０ｍの高さに設けられる、照明システム又はランプの使用。
【請求項１１】
前記照明システムが道路の表面上の少なくとも３.５ｍの高さに設けられる、請求項１０に記載の照明システム又はランプの使用。
【請求項１２】
前記道路は長軸を有し、前記照明システムの前記少なくとも１６個の照明ユニットは４〜１６mmの範囲内の、最も近い隣接照明ユニット間の少なくとも１つの方向における中心間距離ｄを持つ格子構造に配列され、前記少なくとも１つの方向が前記道路の面に平行な面内にあると共に該道路の前記長軸に対して垂直である、請求項１１に記載の照明システム又はランプの使用。
【請求項１３】
前記照明システムが少なくとも１００lm/p2（ｐはmmでのピッチである）の光束を供給する、請求項１０ないし１２の何れか一項に記載の照明システム又はランプの使用。
【請求項１４】
表面を照明すると同時に該表面上の人に対するグレアを最小にするための、請求項１ないし７の何れか一項に記載の照明システム又は請求項８若しくは請求項９に記載のランプの使用。
【国際調査報告】
2017505523.tif 000010
2017505523.tif 000011
2017505523.tif 000012